(57)【特許請求の範囲】
【請求項１】
ネットワークを介して記憶装置に接続される画像処理装置であって、
前記画像処理装置に撮像装置が接続されたことを検出した場合に、前記記憶装置に保存されている画像データの中から前記撮像装置が撮像した画像データを検索するための検索要求を前記記憶装置に送信する検索要求手段と、
前記検索要求に対する応答として、前記記憶装置に保存された画像データのうち前記撮像装置が撮像した画像を取得するための取得情報を前記記憶装置から収集する収集手段と、
前記記憶装置に保存された画像データ及び前記撮像装置に保存された画像データを前記撮像装置が有する表示手段に表示させるための表示指示を前記撮像装置から取得する指示取得手段と、
前記取得情報を用いて、前記表示指示によって指定された画像データのうち前記記憶装置に保存された画像データを前記記憶装置から取得する画像取得手段と、
前記表示指示に従って、前記画像取得手段が前記記憶装置から取得した画像データと、前記撮像装置に保存された画像データのうち当該表示指示によって指定された画像データとを並べて前記表示手段に表示させる表示制御手段と
を備えることを特徴とする画像処理装置。
【請求項２】
前記画像処理装置に接続された撮像装置を識別するための識別情報を前記撮像装置から取得する識別情報取得手段
を更に備え、
前記収集手段は、
前記記憶装置に保存された画像データのうち前記撮像装置が撮像した画像を取得するための取得情報を前記識別情報に基づいて前記記憶装置から収集する
ことを特徴とする請求項１に記載の画像処理装置。
【請求項３】
前記識別情報取得手段は、
前記撮像装置が前記画像処理装置に接続されたことを検出した場合に、前記接続された撮像装置の前記識別情報を取得する
ことを特徴とする請求項２に記載の画像処理装置。
【請求項４】
前記ネットワークに接続された画像要求装置から画像データの送信要求を受信する受信手段と、
前記送信要求により要求された画像データを前記画像要求装置に送信する送信手段と
を更に備え、
前記画像取得手段は、
前記撮像装置に保存された画像データの送信要求を前記受信手段が受信した場合、要求された画像データを前記撮像装置から取得し、
前記送信手段は、
前記撮像装置に保存された画像データの送信要求を前記受信手段が受信した場合、前記画像取得手段が取得した画像データを前記画像要求装置に送信する
ことを特徴とする請求項１に記載の画像処理装置。
【請求項５】
前記表示制御手段は、
前記画像取得手段が前記記憶装置から取得した画像データと前記撮像装置に保存された画像データとを、前記画像データの取得先が識別できる態様で表示させる
ことを特徴とする請求項１に記載の画像処理装置。
【請求項６】
前記画像取得手段は、
画像データを、随時、先読み、あるいは、分割して取得する
ことを特徴とする請求項１に記載の画像処理装置。
【請求項７】
ネットワークを介して記憶装置に接続される撮像装置であって、
前記記憶装置に保存されている画像データの中から前記撮像装置が撮像した画像データを検索するための検索要求を前記記憶装置に送信する検索要求手段と、
前記検索要求に対する応答として、前記記憶装置に保存された画像データのうち前記撮像装置が撮像した画像を取得するための取得情報を前記記憶装置から収集する収集手段と、
画像データを保存する保存手段と、
前記記憶装置に保存された画像データ及び前記保存手段に保存された画像データを表示する表示手段と、
前記記憶装置に保存された画像データ及び前記保存手段に保存された画像データを前記表示手段に表示させるための表示指示を取得する指示取得手段と、
前記取得情報を用いて、前記表示指示によって指定された画像データのうち前記記憶装置に保存された画像データを前記記憶装置から取得する画像取得手段と、
前記表示指示に従って、前記画像取得手段が前記記憶装置から取得した画像データと、前記保存手段に保存された画像データのうち当該表示指示によって指定された画像データとを並べて前記表示手段に表示させる表示制御手段と
を備えることを特徴とする撮像装置。
【請求項８】
ネットワークを介して記憶装置に接続される画像処理装置の処理方法であって、
検索要求手段が、前記画像処理装置に撮像装置が接続されたことを検出した場合に、前記記憶装置に保存されている画像データの中から前記撮像装置が撮像した画像データを検索するための検索要求を前記記憶装置に送信する検索要求工程と、
収集手段が、前記検索要求に対する応答として、前記記憶装置に保存された画像データのうち前記撮像装置が撮像した画像を取得するための取得情報を前記記憶装置から収集する収集工程と、
指示取得手段が、前記記憶装置に保存された画像データ及び前記撮像装置に保存された画像データを前記撮像装置が有する表示手段に表示させるための表示指示を前記撮像装置から取得する指示取得工程と、
画像取得手段が、前記取得情報を用いて、前記表示指示によって指定された画像データのうち前記記憶装置に保存された画像データを前記記憶装置から取得する画像取得工程と、
表示制御手段が、前記表示指示に従って、前記画像取得工程において前記記憶装置から取得した画像データと、前記撮像装置に保存された画像データのうち当該表示指示によって指定された画像データとを並べて前記表示手段に表示させる表示制御工程と
を備えることを特徴とする処理方法。
【請求項９】
識別情報取得手段が、前記画像処理装置に接続された撮像装置を識別するための識別情報を前記撮像装置から取得する工程
を更に備え、
前記収集工程において、前記記憶装置に保存された画像データのうち前記撮像装置が撮像した画像を取得するための取得情報を前記識別情報に基づいて前記記憶装置から収集する
ことを特徴とする請求項８に記載の処理方法。
【請求項１０】
ネットワークを介して記憶装置に接続される撮像装置の処理方法であって、
検索要求手段が、前記記憶装置に保存されている画像データの中から前記撮像装置が撮像した画像データを検索するための検索要求を前記記憶装置に送信する検索要求工程と、
収集手段が、前記検索要求に対する応答として、前記記憶装置に保存された画像データのうち前記撮像装置が撮像した画像を取得するための取得情報を前記記憶装置から収集する収集工程と、
指示取得手段が、前記記憶装置に保存された画像データ及び前記撮像装置に保存された画像データを前記撮像装置が有する表示手段に表示させるための表示指示を取得する指示取得工程と、
画像取得手段が、前記取得情報を用いて、前記表示指示によって指定された画像データのうち前記記憶装置に保存された画像データを前記記憶装置から取得する画像取得工程と、
表示制御手段が、前記表示指示に従って、前記画像取得工程において前記記憶装置から取得した画像データと、前記撮像装置に保存された画像データのうち当該表示指示によって指定された画像データとを並べて前記表示手段に表示させる表示制御工程と
を備えることを特徴とする処理方法。
【請求項１１】
ネットワークを介して記憶装置に接続されるコンピュータに、
前記コンピュータに撮像装置が接続されたことを検出した場合に、前記記憶装置に保存されている画像データの中から前記撮像装置が撮像した画像データを検索するための検索要求を前記記憶装置に送信する検索要求手順と、
前記検索要求に対する応答として、前記記憶装置に保存された画像データのうち前記撮像装置が撮像した画像を取得するための取得情報を前記記憶装置から収集する収集手順と、
前記記憶装置に保存された画像データ及び前記撮像装置に保存された画像データを前記撮像装置が有する表示手段に表示させるための表示指示を前記撮像装置から取得する指示取得手順と、
前記取得情報を用いて、前記表示指示によって指定された画像データのうち前記記憶装置に保存された画像データを前記記憶装置から取得する画像取得手順と、
前記表示指示に従って、前記画像取得手順において前記記憶装置から取得した画像データと、前記撮像装置に保存された画像データのうち当該表示指示によって指定された画データとを並べて前記表示手段に表示させる表示制御手順と
を実行させるためのプログラム。
【請求項１２】
前記コンピュータに接続された撮像装置を識別するための識別情報を前記撮像装置から取得する識別情報取得手順を前記コンピュータに更に実行させ、
前記収集手順において、前記記憶装置に保存された画像データのうち前記撮像装置が撮像した画像を取得するための取得情報を前記識別情報に基づいて前記記憶装置から収集する処理を前記コンピュータに実行させるための請求項１１に記載のプログラム。
【請求項１３】
撮像手段を有し、ネットワークを介して記憶装置に接続されるコンピュータに、
前記記憶装置に保存されている画像データの中から前記撮像手段が撮像した画像データを検索するための検索要求を前記記憶装置に送信する検索要求手順と、
前記検索要求に対する応答として、前記記憶装置に保存された画像データのうち前記撮像手段が撮像した画像を取得するための取得情報を前記記憶装置から収集する収集手順と、
前記記憶装置に保存された画像データ及び前記コンピュータに保存された画像データを前記コンピュータが有する表示手段に表示させるための表示指示を取得する指示取得手順と、
前記取得情報を用いて、前記表示指示によって指定された画像データのうち前記記憶装置に保存された画像データを前記記憶装置から取得する画像取得手順と、
前記表示指示に従って、前記画像取得手順において前記記憶装置から取得した画像データと前記コンピュータに保存された画像データのうち当該表示指示によって指定された画像データとを並べて前記表示手段に表示させる表示制御手順と
を実行させるためのプログラム。
【発明の詳細な説明】
【技術分野】
【０００１】
本発明は、画像処理装置、撮像装置、処理方法、並びにプログラムに関する。
【背景技術】
【０００２】
従来から、カメラ内蔵の画像データを、カメラを直接操作することにより、プリンタやＰＣといった接続デバイスへ送付する技術がある。特に、プリンタとカメラとを接続した場合の画像データ受渡し手順は、カメラ画像機器工業会（ＣＩＰＡ）により"ＰｉｃｔＢｒｉｄｇｅ"として規格化されている。そして、ＰｉｃｔＢｒｉｄｇｅ機能を利用するための特定のボタンを備えるカメラも存在する。
【０００３】
さらに、カメラ直接接続によって行える作業を、プリンタとの接続による単純なプリント以外の機能も拡大しようとする試みがある（特許文献１、特許文献２）。
【０００４】
一方、ネットワーク上に配置された外部記憶装置への入出力手段は、ネットワークストレージや分散ファイルシステムと呼ばれる。この種の手段として例えば、ＵＮＩＸ（登録商標）系ネットワークで利用されているＮＦＳ（Network File System）や、Ｗｉｎｄｏｗｓ（登録商標）系ネットワークで利用されているＣＩＦＳ（Common Internet File System）が挙げられる。また、ＳＭＢ（Server Message Block）プロトコル、あるいは、インターネット上のＷＷＷ技術の拡張として定義されたＷｅｂＤＡＶ（Distributed Authoring and Versioning）もこれに該当する。
【０００５】
さらに、家庭内ネットワークでの画像音楽配信利用を想定して、ＤＬＮＡ（Digital Living Network Alliance）が仕様を策定している。ＤＬＮＡでは、接続性向上を実現するために、ＵＰｎＰ仕様（ＵＰｎＰ  ＡＶ仕様を含む）をベースとして、音声画像コーデックやメディア転送プロトコルを厳密に規定している。
【０００６】
ＤＬＮＡのホームネットワーク接続技術は、ＨＤＤレコーダーやＰＣの記憶装置（ストレージ）に保存された画像や音楽を配信することを対象としている。ＤＬＮＡでは、画像データを提供するメディアサーバデバイス、画像データを再生表示するメディアレンダラ−デバイス、などが規定される他に、メディアレンダラ−デバイスにコントロールポイント機能を備えたメディアプレーヤデバイスなどが定義されている。
【０００７】
【特許文献１】特開２００５−１２３９２２号公報
【特許文献２】特開２００５−３１３３９２号公報
【発明の開示】
【発明が解決しようとする課題】
【０００８】
しかしながら、外部記憶装置に保存された画像データをカメラから直接操作することが容易ではなかった。特に、近年、カメラ撮影された画像データを外部記憶装置に大量に保存した状況では、カメラ内蔵の記憶容量が外部記憶装置に比べて小さいため、カメラからの操作は一層困難なものとなっていた。
【０００９】
本発明は、このような問題に鑑みてなされたものであり、その目的は、外部記憶装置に保存された画像データを撮像装置から直接簡単に操作できる技術を提供することにある。
【課題を解決するための手段】
【００１０】
上記目的を達成するため、本発明に係る装置は、
ネットワークを介して記憶装置に接続される画像処理装置であって、
前記画像処理装置に撮像装置が接続されたことを検出した場合に、前記記憶装置に保存されている画像データの中から前記撮像装置が撮像した画像データを検索するための検索要求を前記記憶装置に送信する検索要求手段と、
前記検索要求に対する応答として、前記記憶装置に保存された画像データのうち前記撮像装置が撮像した画像を取得するための取得情報を前記記憶装置から収集する収集手段と、
前記記憶装置に保存された画像データ及び前記撮像装置に保存された画像データを前記撮像装置が有する表示手段に表示させるための表示指示を前記撮像装置から取得する指示取得手段と、
前記取得情報を用いて、前記表示指示によって指定された画像データのうち前記記憶装置に保存された画像データを前記記憶装置から取得する画像取得手段と、
前記表示指示に従って、前記画像取得手段が前記記憶装置から取得した画像データと、前記撮像装置に保存された画像データのうち当該表示指示によって指定された画像データとを並べて前記表示手段に表示させる表示制御手段と
を備えることを特徴とする。
【００１１】
上記目的を達成するため、本発明に係る他の装置は、
ネットワークを介して記憶装置に接続される撮像装置であって、
前記記憶装置に保存されている画像データの中から前記撮像装置が撮像した画像データを検索するための検索要求を前記記憶装置に送信する検索要求手段と、
前記検索要求に対する応答として、前記記憶装置に保存された画像データのうち前記撮像装置が撮像した画像を取得するための取得情報を前記記憶装置から収集する収集手段と、
画像データを保存する保存手段と、
前記記憶装置に保存された画像データ及び前記保存手段に保存された画像データを表示する表示手段と、
前記記憶装置に保存された画像データ及び前記保存手段に保存された画像データを前記表示手段に表示させるための表示指示を取得する指示取得手段と、
前記取得情報を用いて、前記表示指示によって指定された画像データのうち前記記憶装置に保存された画像データを前記記憶装置から取得する画像取得手段と、
前記表示指示に従って、前記画像取得手段が前記記憶装置から取得した画像データと、前記保存手段に保存された画像データのうち当該表示指示によって指定された画像データとを並べて前記表示手段に表示させる表示制御手段と
を備えることを特徴とする。
【発明の効果】
【００１３】
本発明によれば、外部記憶装置に保存された画像データを撮像装置から直接簡単に操作できる技術を提供することができる。
【発明を実施するための最良の形態】
【００１４】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１５】
（第１実施形態）
本発明の第１実施形態に係る画像処理装置と撮像装置としてのカメラについて説明する。本実施形態はネットワーク上の画像を扱うカメラＵＩに関し、ネットワーク上の画像もカメラ内蔵画像と同様にカメラを直接操作することによって処理可能にする技術である。画像処理装置は、ストレージ等の外部記憶装置の画像をカメラ内蔵画像と同様にカメラで表示可能にし、カメラを操作することによって、カメラに表示された画像をネットワーク上の他デバイス（ＴＶ、プリンタ、ストレージあるいは自他カメラ）に送信する。
【００１６】
本実施形態に係る画像処理装置は、特に、外部記憶装置に保存された画像データをカメラＵＩを用いて操作する際に、カメラ内蔵の画像データをカメラＵＩを用いて操作するのと同様の操作方法で、操作可能とする画像処理装置に関する。
【００１７】
本実施形態では、ネットワーク上に配置された画像処理装置において、カメラ内蔵の画像データと外部記憶装置に保存された画像データとを、同様の手法で、表示端末（ディスプレイ）に送信する例について説明する。
【００１８】
特に、この中で、画像処理装置に接続されたカメラに備わる表示パネル、ボタン、ズームレバーなどのカメラユーザインターフェースを用いて、操作対象の画像データの選択や送信、印刷などの操作を行う点に特徴がある。
【００１９】
なお、実施の形態の説明中、映画のような動画像データばかりでなく、高精細なフォトデータ（静止画）、楽曲データ、会話音声データ、なども、画像データと総称する。
【００２０】
図１は、本実施形態の典型的な利用形態を示した図であり、１０１は画像処理装置、１０２は表示端末、１０３は外部記憶装置、１１０は撮像装置としてのカメラである。
【００２１】
カメラ１１０と画像処理装置１０１とは、ＵＳＢ（Universal Serial Bus）で接続される。また、画像処理装置１０１と表示端末１０２及び外部記憶装置１０３とはそれぞれネットワークに接続される。この構成で、カメラ１１０でのユーザによる操作が画像処理装置１０１で受け入れられ、カメラ１１０内蔵の画像データが、画像処理装置１０１の制御によって、表示端末１０２に送信されることで、表示端末１０２でカメラ画像を表示することが可能となる。
【００２２】
図のネットワークは、企業あるいは組織内で運用されるイントラネット又はインターネットである。また、ネットワークは、家庭内の機器を接続するホームネットワークである場合もあり、屋外の機器を接続するネットワークである場合もある。また、ネットワークは、ＩＥＥＥ８０２．１１やｂｌｕｅｔｏｏｔｈ（登録商標）などのワイヤレス接続である場合もある。更に、電力線に重畳されたネットワーク（Power Line Communications）やＩＥＥＥ８０２．３（Ｅｔｈｅｒｎｅｔ（登録商標））などの有線接続である場合もある。また、カメラ１１０と画像処理装置１０１との接続は、ＵＳＢに限定されない。ＩＥＥＥ１３９４やＵＷＢなどによるデバイス接続ネットワークを利用できる。
【００２３】
図２は画像処理装置１０１のハードウェア構成の一例を示したものである。カメラと接続して画像データの受渡しやカメラ制御を行うＵＳＢコントローラ１０１１、ネットワーク接続のためのネットワークＩ／Ｆ１０１２、プログラムによる各種の処理を実行するＣＰＵ１０１３、プログラムや処理データを格納するメモリ１０１４を含む。ＵＳＢコントローラは、カメラ接続手段やカメラ画像取得手段として機能する。ＵＳＢコントローラは、また、外部記憶装置内に保存された画像データを取得する外部画像取得手段や、カメラから指示を取得する指示取得手段や表示制御手段としても機能する。
【００２４】
なお、メモリ１０１４は、高速なＲＡＭの他に、ＨＤＤ装置やフラッシュメモリなど不揮発性メモリを備えても良いし、取り外し可能な記憶装置を備えても良い。ネットワークＩ／Ｆは、有線インターフェースばかりではなく、無線インターフェースを備えても良い。カメラを接続するためのインターフェースは、ＵＳＢに限定されず、ＩＥＥＥ１３９４でも良い。他のメモリやネットワークＩ／Ｆも同様である。
【００２５】
図３は表示端末１０２を動作させるハードウェア構成の一例を示す図である。プログラムによる各種処理を実行するＣＰＵ１０２１、プログラムや処理データを格納するメモリ１０２２、ネットワーク接続のためのネットワークＩ／Ｆ１０２３、処理結果や画像データを表示パネル１０２７に再生表示する表示コントローラ１０２４を備える。また、ユーザが入力を行うための周辺デバイスを制御する周辺コントローラ１０２５と、メモリを補助し画像データや各種情報を保存するための記憶装置１０２６とを更に備える。
【００２６】
周辺コントローラ１０２５が制御する周辺デバイスの一例として、キーボードやマウスを図示しているが、制御される周辺デバイスは、赤外線リモコンやＬＥＤコントローラあるいは外部センサー入出力コントローラであっても良い。
【００２７】
図４は外部記憶装置１０３のハードウェア構成の一例を示す図である。プログラムによる各種の処理を実行するＣＰＵ１０３１、プログラムや処理データを格納するメモリ１０３２、ネットワークと接続するためのネットワークＩ／Ｆ１０３３、メモリを補助し画像データや各種情報を保存するための記憶装置１０３４、を含む。
【００２８】
外部記憶装置１０３における記憶装置は、大容量のＨＤＤ装置やフラッシュメモリなど不揮発性メモリであり、ＲＡＩＤ（Redundant Arrays of Inexpensive Disks）構成や検索アクセラレータを備える場合もある。
【００２９】
図５はカメラ１１０のハードウェア構成の一例を示す図である。プログラムによる各種の処理を実行するＣＰＵ１１０１、プログラムや処理データを格納するメモリ１１０２、処理結果や画像データを表示パネル１１０７に再生表示する表示コントローラ１１０３を含む。また、画像処理装置やＰＣ装置といった外部機器と接続するためのＵＳＢコントローラ１１０４、メモリを補助し画像データや各種情報を保存するための記憶装置１１０５、レンズやレンズ駆動系や光学センサーなどから構成される撮像部１１０６を含む。
【００３０】
図６は本システムにおける各装置の機能構成を模式化した図である。画像処理装置１０１は、カメラ１０１におけるユーザの入力に従い画像処理装置１０１やカメラ１１０を制御するコントロールポイント部１０１ａと、画像の送信を司る画像送信サーバ部１０１ｂと、画像の受信を司る画像受信部１０１ｃと、を含む。
【００３１】
表示端末１０２は、画像の再生表示を制御する画像再生表示部１０２ａを含む。外部記憶装置１０３は、画像データの保存、検索、参照を行う画像保管部１０３ａを含む。カメラ１１０は、ユーザからのボタン操作などを受け付けるための入力部１１０ａと、カメラ１１０の表示パネル１１０７への表示を制御する表示出力部１１０ｂと、カメラで撮影された画像データをカメラ１１０の記憶装置へ保存する画像保存部１１０ｃと、を含む。なお、画像保存部１１０ｃは、画像処理装置１０１の画像送信サーバ部又はカメラ１１０の表示出力部からの要求に応じて、カメラ１１０の記憶装置に保存された画像データを提供する機能も有する。
【００３２】
これらの機能部を制御するためのプログラムは、それぞれの装置のメモリや記憶装置に保管され、それぞれの装置のＣＰＵによって実行される。そして、必要に応じて、ネットワークＩ／ＦやＵＳＢインターフェース、あるいは、各種コントローラを制御する。
【００３３】
この構成によって、カメラ１１０の入力部から入力されたユーザによる操作に応じて、接続された画像処理装置１０１のコントロールポイント部を制御し、カメラ内蔵の画像データと外部記憶装置１０３に保存された画像データとを処理する。また、カメラ１１０の入力部から入力されたユーザによる操作に応じて、カメラ１１０の表示出力部が画像データを表示させ、表示端末１０２に対して画像データを送信させる。
【００３４】
以下、各機能部における動作について図を用いて説明する。図７は画像処理装置１０１のコントロールポイント部の動作を示したフローチャートである。コントロールポイント部は、カメラ１１０の入力部から入力されたユーザの操作に応じたメッセージ（入力操作メッセージを受け取り、ネットワーク上の機器を操作する。ここで、入力操作メッセージには、操作されたボタンの識別情報、ボタン操作によって選択された画像データの識別情報が含まれる。
【００３５】
コントロールポイント部は、まず起動時にステップＳ７０１で、特定のファイル（ＯＳによってはレジストリなどのシステムデータベース）からコントロールポイント部の動作設定情報を読み出して、読み出した動作設定情報に基づき動作を開始する。
【００３６】
次に、ステップＳ７０２で、接続されたカメラを検出し、カメラのボタン入力や各種情報を受渡しするためカメラとの接続を確立する。カメラが検出されない場合には、カメラの検出を待つ。
【００３７】
続いて、ステップＳ７０３で、接続したカメラからカメラ識別子や所有者情報並びに記憶媒体識別子（メモリカードのような取り外し可能な記憶メディアの識別情報）を取得する。
【００３８】
そして、ステップＳ７０４で、画像処理装置１０１が接続するネットワーク上の外部記憶装置に保存されている画像データの中から、当該カメラで撮影された画像データを検索する。
【００３９】
本実施の形態では、外部記憶装置１０３に対して検索のリクエストを送信する。検索のリクエストには、検索条件として、カメラ識別子、カメラの所有者情報、記憶媒体識別子、などの情報を含めて送信する。
【００４０】
続いて、ステップＳ７０５で、外部記憶装置１０３からの検索リクエストに対するレスポンスを収集する。レスポンスには、画像データの属性情報（画像種別、撮影日付、解像度、データサイズ、撮影時パラメータ、継続時間、フレームレート、ビットレート）、サムネイル画像取得パス（ＵＲＬ）、画像データ本体取得パス（ＵＲＬ）が含まれる。なお、レスポンスは、複数回に分割して収集しても良い。
【００４１】
次に、ステップＳ７０６で、カメラ１１０からユーザによるボタン入力に応じた入力操作メッセージを受取る。ここで、ボタン入力は、カメラが備える、十字ボタン（方向ボタン）、ＰｉｃｔＢｒｉｄｇｅボタン、メニューボタン、シャッターボタン、などが個々に識別される。ボタン入力ではないが、カメラとの接続が切断された場合も、このステップで検出される。
【００４２】
続いて、ステップＳ７０７で、ユーザによるボタン入力に応じて、カメラ１１０の画像保存部に保存される画像データ以外の画像データを取得するよう、画像処理装置１０１の画像受信部にリクエストする。
【００４３】
この画像データ取得をリクエストする際には、ステップＳ７０５で、取得されたサムネイル画像取得パス（ＵＲＬ）や画像データ本体取得パス（ＵＲＬ）が用いられる。
【００４４】
この際、コントロールポイント部は、表示内容や画面レイアウトに応じて、画像データの必要量の取得や先読みを指示する。
【００４５】
ここで、必要量の取得とは、例えば、ステップＳ７０５で収集された検索レスポンスに含まれる画像データの内、表示内容や画面レイアウトで直接参照されるサムネイル画像の取得である。また、先読みとは、表示内容や画面レイアウトで参照されるサムネイル画像の画像データ本体のユーザ指示に先行した取得である。この指示に応じて、外部画像取得手段としての画像受信部は、画像データを、随時、先読み、あるいは、分割して取得する。
【００４６】
続いて、ステップＳ７０８で、ボタン入力に応じた表示内容を、カメラの表示パネルに出力するように、表示出力部を制御する。この際、表示内容の一部となる画像データは、カメラ１１０のボタン入力による画像データの選択に応じて、カメラ１１０の画像保存部に保存される画像データ、画像処理装置１０１の画像受信部が取得した画像データ、が選択的に用いられる（図１７）。
【００４７】
また、表示パネル上でのレイアウトを考慮して、サムネイル画像と画像データ本体とが選択的に用いられる。そして、次のボタン入力を受け取るために、ステップＳ７０６に戻る。なお、上記の処理中のステップＳ７０６で、カメラとの接続が失われたことが検出された場合、処理を中止し、ステップＳ７０２に戻った上で、次に、カメラの接続が検出されるのを待つ。
【００４８】
以上のように、本実施の形態のカメラ１１０のボタン入力の解釈は、画像処理装置１０１のコントロールポイント部で行われる（図１７）。画像データをリスト表示中にズームボタン（テレ側）が操作されると、画像データが拡大表示される。また、ズームボタン（ワイド側）が操作されると、複数画像データをリスト表示する。この際のリスト表示では、ステップＳ７０５で収集した画像データを、表示条件（例えば、日付順表示）に応じて並べて表示する。
【００４９】
また、リスト表示中に十字ボタン（方向ボタン）が操作されると、リスト表示されている画像データの中の選択画像（フォーカス画像）を前後左右に移動する。リスト表示中に選択ボタンが操作されると、リスト表示されている画像データの中から選択画像（フォーカス画像）を確定し、以降の操作により、画像データの送信や印刷あるいは削除を行う。
【００５０】
図８は画像処理装置１０１の画像送信サーバ部の動作を示したフローチャートである。画像送信サーバ部は、ネットワーク上の機器から送信される画像送信リクエストを受け取り、リクエストに応じた画像データを送信するよう機能する。画像送信サーバ部は、まず起動時にステップＳ８０１で、特定のファイル（ＯＳによってはレジストリなどのシステムデータベース）から画像送信サーバ部の動作設定情報を読み出して、読み出した動作設定情報に基づき動作を開始する。そして、その設定情報にしたがって、クライアントである表示端末の画像再生表示部からのリクエストを受け付けるための通信ポートを開く。
【００５１】
次に、ステップＳ８０２で、ネットワーク上の機器からの画像送信リクエストを受け付ける。画像送信リクエストを受付けたら、ステップＳ８０３で、接続の可否の判定を行う。接続否ならば、接続拒否を示すエラーコードをリクエスト元にレスポンスし、Ｓ８０２に戻る。
【００５２】
接続可ならば、ステップＳ８０４に進み、リクエスト内容を解析することで、要求された画像データの種類や画像のソース情報（カメラの画像保存部での参照情報）を特定し、さらに、配信プロトコルを判断する。
【００５３】
続いて、ステップＳ８０５へ進み、要求された画像データを準備する。要求された画像データが、接続しているカメラに蓄積された画像データである場合、要求された画像データをカメラから取得するため、カメラの画像保存部に要求し、画像データを取得する。
【００５４】
そして、ステップＳ８０６で、要求された配信プロトコルを用いて取得した画像データを送信する。なお、画像データの種類や配信プロトコルによっては、ステップＳ８０５及びステップＳ８０６の処理が、それぞれ別スレッドによって実行され、画像データの部分データをパイプライン（画像ストリーミング）処理する。そして、ステップＳ８０７で、画像データの送信終了を待って、ステップＳ８０２に戻り、次のリクエストを待つ。
【００５５】
図９は画像処理装置１０１の画像受信部の動作を示したフローチャートである。画像受信部は、ネットワーク上の機器から送信された画像データを受信するよう機能する。画像受信部は、まず、起動時にステップＳ９０１で、特定のファイル（ＯＳによってはレジストリなどのシステムデータベース）から画像受信部の動作設定情報を読み出して、読み出した動作設定情報に基づき動作を開始する。
【００５６】
そして、ステップＳ９０２で、コントロールポイント部（ステップＳ７０７）から、受信すべき画像のリクエスト内容を受け取る。リクエスト内容は、画像データを提供するネットワーク上の機器の識別情報（ＩＰアドレスやｕｕｉｄによって指定される）、画像データの種類、画像のソース情報（指定機器内での識別情報や検索条件を含む）、通信プロトコルを含む。そして、受信した画像の処理方法が指定されている。
【００５７】
次に、ステップＳ９０３で、リクエスト内容にしたがって、画像データを提供するネットワーク上の指定機器と接続を確立し、指定された通信プロトコルを用いて画像データの取得リクエストを送信する。例えば、外部記憶装置１０３と接続し、ｆｔｐプロトコルで画像取得リクエスト（ｆｔｐ−ｇｅｔリクエスト）を送信する。
【００５８】
次に、ステップＳ９０４で、指定機器からのレスポンスを待ち、レスポンスを受け取る。レスポンスを受け取ったならば、ステップＳ９０５に進み、レスポンス内容を解析する。この解析から、リクエストの可否（成功失敗）、レスポンス送信方法、レスポンスサイズ、などを判断する。
【００５９】
リクエストが失敗した場合には、ステップＳ９０２に戻り、次の画像受信処理に備える。リクエストが成功した場合には、続いて、ステップＳ９０６へ進み、レスポンス内容から、受信した画像データを取り出す。受信する画像データを複数回に分割して受け取る場合もある。
【００６０】
取り出した画像データを、コントロールポイント部に渡す。典型的には、コントロールポイント部のステップＳ７０８で利用され、カメラ１１０の表示出力部に渡される。
【００６１】
そして、ステップＳ９０７で、画像データの受信完了を待ち、ステップＳ９０２に戻り、次の画像受信処理に備える。ここでは、画像受信部自身が、送信側機器へ画像取得リクエストを発行する場合について説明しているが、上記コントロールポイント部がリクエストを発行することもある。その場合には、ステップＳ９０２、ステップＳ９０３を省略し、ステップＳ９０４から処理を行う。
【００６２】
図１０はカメラ１１０の入力部の動作を示したフローチャートである。カメラ１１０の入力部は、カメラ１１０の各種ボタンを用いたユーザからの入力を受け取り、画像処理装置１０１のコントロールポイント部に伝える。カメラ１１０の入力部は、画像処理装置１０１とのＵＳＢ接続以降に機能する。ＵＳＢ接続以前の各種ボタン操作の処理は、通常のカメラと同様である。
【００６３】
カメラ１１０の入力部は、まず、ステップＳ１００１で、特定のファイル（ＯＳによってはレジストリなどのシステムデータベース）から入力部の動作設定情報を読み出して、読み出した動作設定情報に基づき動作を開始する。
【００６４】
次に、ステップＳ１００２で、カメラ１１０上の各種ボタン操作を検出する。次に、ステップＳ１００３で、検出されたボタン操作に応じて、入力操作メッセージを作成する。
【００６５】
次に、ステップＳ１００４で、作成した入力操作メッセージを画像処理装置１０１のコントロールポイント部に送信する。そして、次のボタン入力を待つため、ステップＳ１００２へ戻る。
【００６６】
図１１はカメラ１１０の表示出力部の動作を示したフローチャートである。カメラ１１０の表示出力部は、画像処理装置１０１のコントロールポイント部の制御を受けて、指定されたテキストやグラフや画像などのデータをカメラ１１０の表示パネルに表示出力する。
【００６７】
カメラ１１０の表示出力部は、画像処理装置１０１とのＵＳＢ接続以降に機能する。ＵＳＢ接続以前の表示パネルへの表示出力処理は、通常のカメラと同様である。カメラ１１０の表示出力部は、まず、ステップＳ１１０１で、特定のファイル（ＯＳによってはレジストリなどのシステムデータベース）から表示出力部の動作設定情報を読み出して、読み出した動作設定情報に基づき動作を開始する。
【００６８】
そして、ステップＳ１１０２で、画像処理装置１０１のコントロールポイント部からの表示出力指示を待つ。表示出力指示を受け取ると、ステップＳ１１０３に進み、受け取った表示出力指示に、画像データ表示指示が含まれるかどうか判定する。
【００６９】
画像データ表示指示が含まれる場合には、ステップＳ１１０４で、画像処理装置１０１の画像受信部やカメラ１１０の画像保存部から画像データを取得する。そして、ステップＳ１１０５で、取得した画像データを、表示出力指示に従い、デコードし、必要に応じてスケーリングする。
【００７０】
そして、ステップＳ１１０６で、表示出力指示に従い、画像データを含めて、表示パネル上にレイアウトし、カメラ１１０の表示パネルに表示出力する（図１７）。そして、ステップＳ１１０７で、次の表示出力指示を待つために、ステップＳ１１０２へ戻る。
【００７１】
ステップＳ１１０６の表示出力では、ステップＳ１１０４で画像データを取得した際の取得先情報に応じて、取得先を区別可能に表示しても良い。つまり、画像処理装置の表示出力手段は、カメラやネットワーク上の他の機器から取得した画像データを、取得先が識別できる態様で表示出力することができる。
【００７２】
図５及び図１１では、図示しないが、音声データの出力も同様に説明される。図１２はカメラ１１０の画像保存部の動作を示したフローチャートである。
【００７３】
カメラ１１０の画像保存部は、画像処理装置１０１の画像受信部から受け取った画像データやカメラ１１０が撮影した画像データをカメラ１１０の記憶装置に保存する。また、カメラ１１０の画像保存部は、画像処理装置１０１の画像送信サーバ部やカメラ１１０の表示出力部からの要求に応じて、カメラ１１０の記憶装置に保存している画像データを提供する。
【００７４】
カメラ１１０の画像保存部は、画像処理装置１０１とのＵＳＢ接続以降に機能する。ＵＳＢ接続以前の記憶装置への保存参照処理は、通常のカメラと同様である。カメラ１１０の画像保存部は、まず、ステップＳ１２０１で、特定のファイル（ＯＳによってはレジストリなどのシステムデータベース）から画像保存部の動作設定情報を読み出して、読み出した動作設定情報に基づき動作を開始する。
【００７５】
次に、ステップＳ１２０２で、画像データの保存、参照、検索の指示を受け付ける。画像保存部への指示は、画像処理装置１０１のコントロールポイント部、画像送信サーバ部、画像受信部、カメラ１１０の表示出力部、から発行される。
【００７６】
保存指示であれば、ステップＳ１２０３で、保存指示に付随して与えられた画像データを記憶装置に保存し、保存処理の成功、又は失敗を応答として送信する。保存処理が成功した場合には、応答に画像データ識別子を含めて送信する。参照指示であれば、ステップＳ１２０４で、参照指示で指定された画像データ識別子の画像データを記憶装置から取出し、取り出した画像データを応答として送信する。
【００７７】
検索指示であれば、ステップＳ１２０５で、検索指示で指示された検索条件を満たす画像データを記憶装置内で検索し、検索結果（画像データ識別子の集合）を返す。それ以外であれば、ステップＳ１２０６で、エラーを返す。そして、ステップＳ１２０７で、次の指示を受け取るために、ステップＳ１２０２へ戻る。
【００７８】
図１３は表示端末１０２の画像再生表示部の動作を示したフローチャートである。表示端末１０２の画像再生表示部は、受信した画像データを再生し、表示端末１０２の表示パネルに表示出力する。
【００７９】
画像再生表示部は、まず起動時にステップＳ１３０１で、特定のファイル（ＯＳによってはレジストリなどのシステムデータベース）から画像再生表示部の動作設定情報を読み出して、読み出した動作設定情報に基づき動作を開始する。そして、その設定情報にしたがって、クライアントである画像処理装置１０１のコントロールポイント部から画像再生表示リクエストを受け付けるための通信ポートを開く。
【００８０】
そして、ステップＳ１３０２で、再生表示リクエストを受け付ける。次に、ステップＳ１３０３で、再生表示リクエストを解析し、再生する画像データの保存先機器の情報と画像データ識別子とを抽出する。
【００８１】
次に、ステップＳ１３０４で、抽出した情報に基づいて、画像データの保存先機器から、画像データを取得する。画像データの保存先機器が、画像処理装置１０１の場合には、画像処理装置１０１の画像送信サーバ部からの画像データを取得する。また、画像データの保存先機器が、外部記憶装置１０３の場合には、外部記憶装置１０３の画像保管部からの画像データを取得する。
【００８２】
次に、ステップＳ１３０４で、再生表示リクエストに含まれる画像データの属性情報、表示パラメータ、及び、画像データ自身に含まれるパラメータから、画像データをデコードし、必要に応じてスケーリングし、表示パネルに表示出力する。そして、ステップＳ１３０５で、次のリクエストを受け取るために、ステップＳ１３０２へ戻る。
【００８３】
図１４は外部記憶装置１０３の画像保管部の動作を示したフローチャートである。外部記憶装置１０３の画像保管部は、ネットワーク上の他機器からの保存、参照、及び、検索の各リクエストを処理できるよう、適切に画像データを保管する。
【００８４】
画像保管部は、まず起動時にステップＳ１４０１で、特定のファイル（ＯＳによってはレジストリなどのシステムデータベース）から画像保管部の動作設定情報を読み出して、読み出した動作設定情報に基づき動作を開始する。そして、その設定情報にしたがって、ネットワーク上の機器からのリクエストを受け付けるための通信ポートを開く。
【００８５】
そして、ステップＳ１４０２で、ネットワーク上の機器からのリクエストを受け付ける。リクエストには、画像データの保存、参照、検索、のいずれかが指示される。保存リクエストであれば、ステップＳ１４０３で、保存リクエストに付随して与えられた画像データを受信し、外部記憶装置１０３の記憶装置に保存する。そして、保存処理の成功、又は失敗をクライアントに応答として送信する。保存処理が成功した場合には、応答に画像データ識別子を含めて送信する。
【００８６】
参照リクエストであれば、ステップＳ１４０４で、参照リクエストで指定された画像データ識別子の画像データを記憶装置から取出し、取り出した画像データを応答として送信する。検索リクエストであれば、ステップＳ１４０５で、検索リクエストで指定された検索条件を満たす画像データを記憶装置内で検索し、検索結果（画像データ識別子の集合）を応答として送信する。
【００８７】
それ以外であれば、ステップＳ１４０６で、エラーをレスポンスする。そして、ステップＳ１４０７で、次のリクエストを受け取るために、ステップＳ１４０２へ戻る。
【００８８】
以上の構成で、ネットワーク上に配置された画像処理装置において、カメラ内蔵の記憶領域の画像データと外部記憶装置に保存された画像データとを、同様の手法で、表示端末に送信することが可能となる。
【００８９】
特に、本実施の形態では、画像処理装置に接続されたカメラに備わる表示パネル、ボタン、ズームレバーなどのカメラユーザインターフェースを用いて、操作対象の画像データの選択や送信、印刷などの操作を行う。本実施の形態では、表示端末１０２に画像データを表示する例について説明しているが、出力対象は、表示端末に限定されない。例えば、プリンタ装置へ送信して印刷出力する例であっても同様に説明できる。また、外部記憶装置の画像データを、カメラへ送信して保存することも同様に説明できる。本実施の形態では、外部記憶装置の画像データを、外部記憶装置から表示端末に直接送信する例について説明しているが、表示端末への送信方法は、これに限定されない。
【００９０】
例えば、画像処理装置が外部記憶装置の画像データを、一旦受け取った上で、表示装置に転送してもよい。本実施の形態では、ステップＳ７０４において、外部記憶装置１０３に対して検索リクエストする例について説明しているが、検索対象は、複数のデバイスであっても構わない。なお、画像処理装置は、ネットワークに接続された複数の機器から一括して画像データを取得してもよい。
【００９１】
さらに、検索対象は、外部記憶装置に限定されず、画像データを保持し、送信する能力のあるデバイスであれば良い。例えば、検索対象に、第２の画像処理装置を含めてもよい。例えば、検索対象は、図１５のメディアストックサーバのように、インターネットに接続された画像保管装置（サーバ）であっても良い。
【００９２】
この場合、ステップＳ７０５で受け取るサムネイル画像取得パス（ＵＲＬ）や画像データ本体取得パス（ＵＲＬ）の指定方法は、例えば、インターネット接続された画像保管装置（サーバ）のドメイン名とサーバ内の画像データ識別子とから構成される。一例を以下に示す。
http://www.imagegateway.net/storage/user?userid=u01590&photoid=8576523
【００９３】
また、外部記憶装置の接続方法は、ネットワーク１０５に限定されない。例えば、図１５のように、第２ネットワークに接続された外部記憶装置であっても良い。ステップＳ７０５で受取るサムネイル画像取得パス（ＵＲＬ）や画像データ本体取得パス（ＵＲＬ）は、例えば第２ネットワークのＩＧＤ（Internet Gateway Device）を識別するリモートアクセス識別情報やユーザ認証情報を含んでも良い。以下に一例を示す。
ftp://taro:kiyanon@xxx.yyy.zzz/directory/photo/8576523
【００９４】
例えば、図１６のように、画像処理装置１０１に直接接続された外部記憶装置であっても良い。この場合の外部記憶装置は、ＵＳＢ接続の記憶装置である。この場合、ステップＳ７０５で受け取るサムネイル画像取得パス（ＵＲＬ）や画像データ本体取得パス（ＵＲＬ）は、他の形式でも良い。例えば、接続プロトコル指定としてｈｔｔｐやｆｔｐに代えて、ｆｉｌｅを用いることで、ローカル接続（ネットワーク接続以外）の画像データ取得方法であることを識別できる。以下にその一例を示す。
file://dev/hda2/media/photo/8576523
【００９５】
本実施の形態では、説明を簡単にするため、画像処理装置１０１の画像送信サーバ部が、受け取ったリクエストを逐次処理する例について説明しているが、複数のリクエストを並行処理することも容易に想像できる。
【００９６】
本実施の形態では、カメラ１１０のボタン入力を、画像処理装置１０１のコントロールポイント部が解釈実行する例について説明しているが、カメラ１１０のボタン入力の解釈実行方法は、これに限定されない。
【００９７】
例えば、カメラ１１０がボタン入力を解釈し、論理的なコマンドとして、画像処理装置１０１のコントロールポイント部へ送信しても良い。この場合、画像処理装置１０１のコントロールポイント部で説明した機能の一部を、カメラ１１０の入力部と重複して備えても良い。
【００９８】
（第２実施形態）
第２実施形態は、第１の実施形態同様、ネットワーク上に配置された画像処理装置において、カメラ内蔵の記憶領域の画像データと外部記憶装置に保存された画像データとを、同様の手法で、表示端末に送信する技術である。
【００９９】
特に、本実施の形態では、第１の実施形態では画像処理装置１０１が提供していたネットワーク接続機能をカメラ１１１が備えることで、カメラを直接ネットワークに接続する点に特徴がある。
【０１００】
本実施の形態では、ハードウェア構成、及び、各ソフトウェアの動作の多くは、第１実施形態で説明した通りである。ただし、図１のネットワークの接続形態、図５で説明したカメラのハードウェア構成、図６で示した機能構成、が第１の実施形態とは異なる。
【０１０１】
図１８は、第２の実施の形態における典型的な利用形態を示した図であり、図１とは、カメラ１１１が、直接ネットワークに接続されている点が異なる。図１９は、第２の実施の形態におけるカメラ１１１のハードウェア構成の一例を示したものであり、図５とは、ネットワークと接続するためのネットワークＩ／Ｆ１１１１、を備える点が異なる。図２０は、第２の実施の形態におけるプログラム構成を模式化した図であり、図６とは、カメラ１１１のプログラム構成が異なる。
【０１０２】
カメラ１１１は、カメラ１１０が備えていた入力部１１０ａ、表示出力部１１０ｂ、画像保存部１１０ｃに加えて、画像処理装置１０１が備えていたコントロールポイント部１０１ａ、画像受信部１０１ｂ、画像送信サーバ部１０１ｃを備える。
【０１０３】
カメラ１１１が備える各機能部の動作は、第１の実施の形態と同様であるが、第１の実施の形態において、ＵＳＢによる機器間接続で行われていたコマンドやデータの受渡しが、カメラ１１１内部の受渡しになる点が異なる。
【０１０４】
以上の構成で、第１実施形態同様、ネットワーク上に配置された画像処理装置において、カメラ内蔵の記憶領域の画像データと外部記憶装置に保存された画像データとを、同様の手法で、表示端末に送信することが可能となる。
【０１０５】
特に、本実施の形態では、第１実施形態では、画像処理装置１０１が提供していたネットワーク接続機能をカメラ１１１が備えることで、カメラを直接ネットワーク接続することができる。
【０１０６】
外部記憶装置に保存された画像データを、カメラが備えるボタン類を用いたユーザインターフェースによって、カメラ内蔵の画像データと同様に操作可能となるので、新しい操作を覚える手間や混乱がなく、直感的に操作することが可能となる。
【０１０７】
（他の実施形態）
以上、本発明の実施形態について詳述したが、本発明は、複数の機器から構成されるシステムに適用しても良いし、また、一つの機器からなる装置に適用しても良い。
【０１０８】
なお、本発明は、前述した実施形態の機能を実現するコンピュータプログラムを、システム或いは装置に直接或いは遠隔から供給し、そのシステム或いは装置が、供給されたプログラムコードを読み出して実行することによっても達成される。したがって、本発明の機能処理をコンピュータで実現するために、コンピュータにインストールされるプログラムコード自体も本発明の技術的範囲に含まれる。
【０１０９】
その場合、プログラムの機能を有していれば、オブジェクトコード、インタプリタにより実行されるプログラム、ＯＳに供給するスクリプトデータ等、プログラムの形態を問わない。
【０１１０】
プログラムを供給するための記録媒体としては、例えば、フロッピー（登録商標）ディスク、ハードディスク、光ディスク、光磁気ディスクがある。また、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などがある。
【０１１１】
その他、クライアントＰＣのブラウザを用いてインターネットサイトに接続し、本発明に係るプログラムそのもの、若しくは更に自動インストール機能を含むファイルをハードディスク等の記録媒体にダウンロードするという利用方法もある。また、本発明に係るプログラムを構成するプログラムコードを複数のファイルに分割し、それぞれのファイルを異なるホームページからダウンロードすることによっても実現可能である。つまり、本発明の機能処理をコンピュータで実現するためのプログラムを複数のユーザに対してダウンロードさせるＷＷＷサーバも、本発明の範疇に含まれる。  また、本発明に係るプログラムを暗号化してＣＤ−ＲＯＭ等の記憶媒体に格納してユーザに配布してもよい。所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１１２】
また、プログラムの指示に基づき、コンピュータ上で稼動しているＯＳなどが、実際の処理の一部又は全部を行ない、その処理によっても前述した実施形態の機能が実現され得る。
【０１１３】
さらに、ＰＣの機能拡張ユニットに備わるメモリに本発明に係るプログラムが書き込まれ、そのプログラムに基づき、その機能拡張ユニットに備わるＣＰＵなどが実際の処理の一部又は全部を行なう場合も、本発明の範疇に含まれる。
【図面の簡単な説明】
【０１１４】
【図１】本発明の第１実施形態に係る画像処理装置を利用した典型的なシステムを示した図である。
【図２】画像処理装置のハードウェア構成の一例を示した図である。
【図３】表示端末のハードウェア構成の一例を示した図である。
【図４】外部記憶装置のハードウェア構成の一例を示した図である。
【図５】カメラのハードウェア構成の一例を示した図である。
【図６】プログラム構成を模式化した図である。
【図７】画像処理装置のコントロールポイント部の動作を示したフローチャートである。
【図８】画像処理装置の画像送信サーバ部の動作を示したフローチャートである。
【図９】画像処理装置の画像受信部の動作を示したフローチャートである。
【図１０】カメラの入力部の動作を示したフローチャートである。
【図１１】カメラの表示出力部の動作を示したフローチャートである。
【図１２】カメラの画像保存部の動作を示したフローチャートである。
【図１３】表示端末１０２の画像再生表示部の動作を示したフローチャートである。
【図１４】外部記憶装置１０３の画像保管部の動作を示したフローチャートである。
【図１５】第１実施形態の別の利用形態を示した図である。
【図１６】第１実施形態のさらに別の利用形態を示した図である。
【図１７】カメラ機器のボタン配置及び表示例を説明する図である。
【図１８】第２実施形態における典型的な利用形態を示した図である。
【図１９】第２実施形態におけるカメラのハードウェア構成の一例を示した図である。
【図２０】第２実施形態におけるプログラム構成を模式化した図である。
【図１】
0004958724.tif 000002
【図２】
0004958724.tif 000003
【図３】
0004958724.tif 000004
【図４】
0004958724.tif 000005
【図５】
0004958724.tif 000006
【図６】
0004958724.tif 000007
【図７】
0004958724.tif 000008
【図８】
0004958724.tif 000009
【図９】
0004958724.tif 000010
【図１０】
0004958724.tif 000011
【図１１】
0004958724.tif 000012
【図１２】
0004958724.tif 000013
【図１３】
0004958724.tif 000014
【図１４】
0004958724.tif 000015
【図１５】
0004958724.tif 000016
【図１６】
0004958724.tif 000017
【図１７】
0004958724.tif 000018
【図１８】
0004958724.tif 000019
【図１９】
0004958724.tif 000020
【図２０】
0004958724.tif 000021